(57)【要約】【課題】  簡単且つ安全に車内においてメールを送受信できる車載端末、移動通信端末およびこれらを用いたメール送受信システムを提供する。【解決手段】  移動通信端末２から第１近距離通信インタフェース部１１を介して受信したメール定型文をメール定型文蓄積部１３に蓄積させるとともに、メール送信要求に応答して、メール定型文蓄積部１３に蓄積されているメール定型文の１つを選択して第１近距離通信インタフェース部１１を介して移動通信端末に送信する車載端末と、メール定型文生成部３０で生成されたメール定型文を車載端末１に送信するとともに、車載端末１から送られてくるメール定型文を第２近距離通信インタフェース部３１で受信し、この受信されたメール定型文に基づき送信メールをメール送信部３２で生成し、遠距離通信インタフェース部３３を介してメールサーバ４に送信する移動通信端末２とを備えている。【選択図】        図１
2006033377.tif 000002
【特許請求の範囲】
【請求項１】
近距離通信を制御する近距離通信インタフェース部と、
メール定型文を蓄積するメール定型文蓄積部と、
移動通信端末から前記近距離通信インタフェース部を介して受信したメール定型文を前記メール定型文蓄積部に蓄積させるとともに、メール送信要求に応答して、前記メール定型文蓄積部に蓄積されているメール定型文の１つを選択し、送信メールデータとして前記近距離通信インタフェース部を介して前記移動通信端末に送信する制御部
とを備えた車載端末。
【請求項２】
近距離通信を制御する近距離通信インタフェース部と、
メール定型文に付されるメールタイトルを蓄積するメールタイトル蓄積部と、
移動通信端末から前記近距離通信インタフェース部を介して受信したメールタイトルを前記メールタイトル蓄積部に蓄積させるとともに、メール送信要求に応答して、前記メールタイトル蓄積部に蓄積されているメールタイトルの１つを選択し、送信メールタイトルとして前記近距離通信インタフェース部を介して前記移動通信端末に送信するメールタイトル制御部
とを備えた車載端末。
【請求項３】
近距離通信を制御する近距離通信インタフェース部と、
メール定型文に付されるメールタイトルを予め蓄積するメールタイトル蓄積部と、
移動通信端末からの要求に応答して前記メールタイトル蓄積部に蓄積された全てのメールタイトルを前記移動通信端末に送信し、メール送信要求に応答して、前記メールタイトル蓄積部に蓄積されているメールタイトルの１つを選択し、送信メールタイトルとして前記近距離通信インタフェース部を介して前記移動通信端末に送信するメールタイトル制御部
とを備えた車載端末。
【請求項４】
車両情報を取得する車両情報取得部を備え、
制御部は、
移動通信端末から近距離通信インタフェース部を介して受信したテンプレート変数を含むメール定型文をメール定型文蓄積部に蓄積させるとともに、メール送信要求に応答して、前記車両情報取得部で取得された車両情報に応じた定数を前記テンプレート変数に入れて送信メールデータを生成し、前記近距離通信インタフェース部を介して前記移動通信端末に送信することを特徴とする請求項１記載の車載端末。
【請求項５】
当該車載端末で取り扱い可能なテンプレート変数を蓄積するテンプレート変数蓄積部を備え、
制御部は、前記テンプレート変数蓄積部に蓄積されているテンプレート変数を、前記近距離通信インタフェース部を介して前記移動通信端末に送信することを特徴とする請求項４記載の車載端末。
【請求項６】
メール定型文を表示するメール定型文表示部と、
利用者からの入力を受け付ける利用者入力部とを備え、
制御部は、
移動通信端末から近距離通信インタフェース部を介して受信したメール定型文をメール定型文蓄積部に蓄積させるとともに、メール送信要求に応答して、メール定型文蓄積部に蓄積されているメール定型文を前記メール定型文表示部に表示させ、該メール定型文表示部に表示されたメール定型文の中から、前記利用者入力部からの入力によって選択された１つのメール定型文を送信メールデータとして、前記近距離通信インタフェース部を介して前記移動通信端末に送信することを特徴とする請求項１記載の車載端末。
【請求項７】
メール定型文を音声で読みあげる音声読みあげ部と、
利用者からの入力を受け付ける利用者入力部とを備え、
制御部は、
移動通信端末から近距離通信インタフェース部を介して受信したメール定型文をメール定型文蓄積部に蓄積させるとともに、メール送信要求に応答して、メール定型文蓄積部に蓄積されているメール定型文を前記音声読みあげ部から音声で読みあげさせ、該音声読みあげ部で読みあげられたメール定型文の中から、前記利用者入力部からの入力によって選択された１つのメール定型文を、前記近距離通信インタフェース部を介して前記移動通信端末に送信することを特徴とする請求項１記載の車載端末。
【請求項８】
メール定型文を音声で読みあげる音声読みあげ部と、
利用者からの入力を受け付ける利用者入力部とを備え、
制御部は、
移動通信端末から近距離通信インタフェース部を介して受信したメール定型文および該メール定型文により生成された読みあげデータをメール定型文蓄積部に蓄積させるとともに、メール送信要求に応答して、メール定型文蓄積部に蓄積されている読みあげデータに基づき前記音声読みあげ部からメール定型文を音声で読みあげさせ、該音声読みあげ部で読みあげられたメール定型文の中から、前記利用者入力部からの入力によって選択された１つのメール定型文を送信メールデータとして、前記近距離通信インタフェース部を介して前記移動通信端末に送信することを特徴とする請求項１記載の車載端末。
【請求項９】
複数のメール定型文を組み合わせるメール定型文組合せ部を備え、
制御部は、
移動通信端末から近距離通信インタフェース部を介して受信したメール定型文をメール定型文蓄積部に蓄積させるとともに、メール送信要求に応答して、前記メール定型文蓄積部に蓄積されている複数のメール定型文を選択し、該選択された複数のメール定型文を前記メール提携部組合せ部で組み合わせ、送信メールデータとして前記近距離通信インタフェース部を介して前記移動通信端末に送信することを特徴とする請求項１記載の車載端末。
【請求項１０】
かな漢字変換を行うことにより得られるかな漢字変換履歴を蓄積するかな漢字変換履歴蓄積部と、
複数のメール定型文またはメール定型文と前記かな漢字変換履歴蓄積部に蓄積されているかな漢字変換履歴とを組み合わせるメール定型文組合せ部とを備え、
制御部は、
移動通信端末から近距離通信インタフェース部を介して受信したメール定型文およびかな漢字変換履歴をメール定型文蓄積部および前記かな漢字変換履歴蓄積部にそれぞれに蓄積させるとともに、メール送信要求に応答して、前記メール定型文蓄積部に蓄積されているメール定型文と前記かな漢字変換履歴蓄積部に蓄積されているかな漢字変換履歴とを選択し、該選択されたメール定型文とかな漢字変換履歴とを前記メール提携部組合せ部で組み合わせ、送信メールデータとして前記近距離通信インタフェース部を介して前記移動通信端末に送信することを特徴とする請求項１記載の車載端末。
【請求項１１】
メール定型文を生成するメール定型文生成部と、
前記メール定型文生成部で生成されたメール定型文を車載端末に送信するとともに、前記車載端末から送られてくる送信メールデータを受信する近距離通信インタフェース部と、
前記近距離通信インタフェース部で受信された送信メールデータに基づき送信メールを生成するメール送信部と、
前記メール送信部で生成された送信メールをメールサーバに送信する遠距離通信インタフェース部
とを備えた移動通信端末。
【請求項１２】
メール定型文およびメール定型文に付されるメールタイトルを生成するメール定型文生成部と、
前記メール定型文生成部で生成されたメール定型文およびメールタイトルを蓄積するメール定型文蓄積部と、
前記メール定型文生成部で生成されたメールタイトルを車載端末に送信するとともに、前記車載端末から送られてくる送信メールタイトルを受信する近距離通信インタフェース部と、
前記近距離通信インタフェース部で受信された送信メールタイトルに対応するメール定型文を前記メール定型文蓄積部から読み出して送信メールを生成するメール送信部と、
前記メール送信部で生成された送信メールをメールサーバに送信する遠距離通信インタフェース部
とを備えた移動通信端末。
【請求項１３】
全ての送信メールタイトルを車載端末から受信する近距離通信インタフェース部と、
前記近距離通信インタフェース部で受信された送信メールタイトルに基づきメール定型文を生成するメール定型文生成部と、
前記メール定型文生成部で生成されたメール定型文および前記近距離通信インタフェース部で受信された送信メールタイトルを蓄積するメール定型文蓄積部と、
前記近距離通信インタフェース部で受信された送信メールタイトルに対応するメール定型文を前記メール定型文蓄積部から読み出して送信メールを生成するメール送信部と、
前記メール送信部で生成された送信メールをメールサーバに送信する遠距離通信インタフェース部
とを備えた移動通信端末。
【請求項１４】
メール定型文生成部は、テンプレート変数を含んだメール定型文を生成し、
近距離通信インタフェース部は、前記メール定型文生成部で生成されたテンプレート変数を含んだメール定型文を車載端末に送信することを特徴とする請求項１１記載の移動通信端末。
【請求項１５】
メール定型文生成部は、車載端末から近距離通信インタフェース部を介して受信されたテンプレート変数を用いてテンプレート変数を含むメール定型文を生成することを特徴とする請求項１４記載の移動通信端末。
【請求項１６】
メール定型文生成部で生成されたメール定型文の音声読みあげ用の読みあげデータを生成する読みあげデータ生成部を備え、
近距離通信インタフェース部は、読みあげデータ生成部で生成された読みあげデータを、該読みあげデータに対応するメール定型文に付加して車載端末に送信することを特徴とする請求項１１記載の移動通信端末。
【請求項１７】
遠距離通信インタフェース部は、メール定型文生成部で生成されたメール定型文を読みあげデータ生成サーバに送信し、
近距離通信インタフェース部は、前記読みあげデータ生成サーバから送信されてくる読みあげデータを、該読みあげデータに対応するメール定型文に付加して車載端末に送信することを特徴とする請求項１１記載の移動通信端末。
【請求項１８】
かな漢字変換を行うことにより得られるかな漢字変換履歴を蓄積するかな漢字変換履歴蓄積部を備え、
近距離通信インタフェース部は、メール定型文生成部で生成されたメール定型文および前記かな漢字変換履歴蓄積部に蓄積されているかな漢字変換履歴を車載端末に送信するとともに、前記車載端末から送られてくるメール定型文を受信することを特徴とする請求項１１記載の移動通信端末。
【請求項１９】
（Ａ）近距離通信を制御する第１近距離通信インタフェース部と、
メール定型文を蓄積するメール定型文蓄積部と、
移動通信端末から前記第１近距離通信インタフェース部を介して受信したメール定型文を前記メール定型文蓄積部に蓄積させるとともに、メール送信要求に応答して、前記メール定型文蓄積部に蓄積されているメール定型文の１つを選択し、送信メールデータとして前記第１近距離通信インタフェース部を介して前記移動通信端末に送信する制御部とを備えた車載端末と、
（Ｂ）メール定型文を生成するメール定型文生成部と、
前記メール定型文生成部で生成されたメール定型文を前記車載端末に送信するとともに、前記車載端末から送られてくる送信メールデータを受信する第２近距離通信インタフェース部と、
前記第２近距離通信インタフェース部で受信された送信メールデータに基づき送信メールを生成するメール送信部と、
前記メール送信部で生成された送信メールをメールサーバに送信する遠距離通信インタフェース部とを備えた移動通信端末
とを備えたメール送受信システム。
【請求項２０】
（Ａ）近距離通信を制御する第１近距離通信インタフェース部と、
メール定型文に付されるメールタイトルを蓄積するメールタイトル蓄積部と、
移動通信端末から前記第１近距離通信インタフェース部を介して受信したメールタイトルを前記メールタイトル蓄積部に蓄積させるとともに、メール送信要求に応答して、前記メールタイトル蓄積部に蓄積されているメールタイトルの１つを選択し、送信メールデータとして前記第１近距離通信インタフェース部を介して前記移動通信端末に送信するメールタイトル制御部とを備えた車載端末と、
（Ｂ）メール定型文およびメール定型文に付されるメールタイトルを生成するメール定型文生成部と、
前記メール定型文生成部で生成されたメール定型文およびメールタイトルを蓄積するメール定型文蓄積部と、
前記メール定型文生成部で生成されたメールタイトルを前記車載端末に送信するとともに、前記車載端末から送られてくる送信メールタイトルを受信する第２近距離通信インタフェース部と、
前記第２近距離通信インタフェース部で受信された送信メールタイトルに対応するメール定型文を前記メール定型文蓄積部から読み出して送信メールを生成するメール送信部と、
前記メール送信部で生成された送信メールをメールサーバに送信する遠距離通信インタフェース部とを備えた移動通信端末
とを備えたメール送受信システム。
【請求項２１】
（Ａ）近距離通信を制御する第１近距離通信インタフェース部と、
メール定型文に付されるメールタイトルを予め蓄積するメールタイトル蓄積部と、
移動通信端末からの要求に応答して前記メールタイトル蓄積部に蓄積された全てのメールタイトルを前記移動通信端末に送信し、さらに、メール送信要求に応答して、前記メールタイトル蓄積部に蓄積されているメールタイトルの１つを選択し、送信メールタイトルとして前記第１近距離通信インタフェース部を介して前記移動通信端末に送信するメールタイトル制御部とを備えた車載端末と、
（Ｂ）全てのメールタイトルを前記車載端末から受信する第２近距離通信インタフェース部と、
前記第２近距離通信インタフェース部で受信された送信メールタイトルに基づきメール定型文を生成するメール定型文生成部と、
前記メール定型文生成部で生成されたメール定型文および前記第２近距離通信インタフェース部で受信された送信メールタイトルを蓄積するメール定型文蓄積部と、
前記第２近距離通信インタフェース部で受信された送信メールタイトルに対応するメール定型文を前記メール定型文蓄積部から読み出して送信メールを生成するメール送信部と、
前記メール送信部で生成された送信メールをメールサーバに送信する遠距離通信インタフェース部とを備えた移動通信端末
とを備えたメール送受信システム。
【発明の詳細な説明】
【技術分野】
【０００１】
この発明は、車載端末、移動通信端末およびこれらを用いたメール送受信システムに関し、特に車内からのメール送信に好適なメール定型文を作成する技術に関する。
【背景技術】
【０００２】
従来、ＰＨＳ（Personal Handyphone System）端末や携帯電話端末といった移動通信端末が知られている。この移動通信端末は、基本機能としての音声通話機能の他に電子メール送受信機能を有しており、日常の情報連絡手段として、移動通信端末の電子メール送受信機能を使用する人が多い。
【０００３】
最近では、自動車の運転中も電子メール送受信機能を使いたいというニーズが強くなり、移動通信端末を自動車に持ち込んだ場合には、自動車に装備されているカーナビゲーション装置といった通信機能付の車載端末と連携して電子メールを送受信できるようになっている。なお、この場合、日常使用している移動通信端末に割り当てられているメールアドレスを使用したいという理由から、メールサーバに対してメールの送受信を行う機能は、移動通信端末側に備えられている。
【０００４】
ところで、運転中に、携帯電話と接続されたカーナビゲーション装置なの車載端末でメールが受信された場合は、車載端末から、安全に、つまり運転操作を邪魔することなく返信メールを送信することが要求される。このような要求に応える技術として、移動通信装置に対する問い合わせ電子メールに対して、現在位置、目的地などの移動情報を含む返信電子メールを自動送信する電子メール自動返信機能付き移動通信装置が知られている（例えば、特許文献１参照）。
【０００５】
この電子メール自動返信機能付き移動通信装置では、移動通信装置にＧＰＳ受信機などの位置情報取得手段を備え、自動返信可否を判定する返信判定ルールと、返信電子メールの内容を規定する返信内容ルールが予め登録される。そして、受信電子メールと返信判定ルールとを照合して返信可否が判定され、返信内容ルールに従って移動情報を含む返信電子メールが自動作成されて送信される。
【０００６】
【特許文献１】特開２００３−３０８２７８号公報
【発明の開示】
【発明が解決しようとする課題】
【０００７】
ところで、車内におけるメールの送受信は、ＰＨＳ端末や携帯電話端末といった移動通信端末単独または通信機能付きカーナビゲーション装置単独でも可能であるが、安全運転上は、車の運転中に使うことを想定しているカーナビゲーション装置でメールを扱うことが望ましい。
【０００８】
しかしながら、通信機能付きカーナビゲーション装置でメールを扱う場合、返信メールの内容を入力によって作成することは可能であるが、カーナビゲーション装置を操作できるのは乗車時のみであるので、乗車している時に返信メールの内容を作成するという煩わしい作業をしなければならない。
【０００９】
この発明は、上述した問題を解消するためになされたものであり、簡単且つ安全に車内においてメールを送受信できる車載端末、移動通信端末およびこれらを用いたメール送受信システムを提供することを目的とする。
【課題を解決するための手段】
【００１０】
この発明に係る車載端末は、近距離通信を制御する近距離通信インタフェース部と、メール定型文を蓄積するメール定型文蓄積部と、移動通信端末から近距離通信インタフェース部を介して受信したメール定型文をメール定型文蓄積部に蓄積させるとともに、メール送信要求に応答して、メール定型文蓄積部に蓄積されているメール定型文の１つを選択し、送信メールデータとして近距離通信インタフェース部を介して移動通信端末に送信する制御部とを備えている。
【００１１】
この発明に係る車載端末は、近距離通信を制御する近距離通信インタフェース部と、メール定型文に付されるメールタイトルを蓄積するメールタイトル蓄積部と、移動通信端末から近距離通信インタフェース部を介して受信したメールタイトルをメールタイトル蓄積部に蓄積させるとともに、メール送信要求に応答して、メールタイトル蓄積部に蓄積されているメールタイトルの１つを選択し、送信メールタイトルとして近距離通信インタフェース部を介して移動通信端末に送信するメールタイトル制御部とを備えている。
【００１２】
この発明に係る車載端末は、近距離通信を制御する近距離通信インタフェース部と、メール定型文に付されるメールタイトルを予め蓄積するメールタイトル蓄積部と、移動通信端末からの要求に応答してメールタイトル蓄積部に蓄積された全てのメールタイトルを移動通信端末に送信し、さらに、メール送信要求に応答して、メールタイトル蓄積部に蓄積されているメールタイトルの１つを選択し、送信メールタイトルとして近距離通信インタフェース部を介して移動通信端末に送信するメールタイトル制御部とを備えている。
【００１３】
この発明に係る移動通信端末は、メール定型文を生成するメール定型文生成部と、メール定型文生成部で生成されたメール定型文を車載端末に送信するとともに、車載端末から送られてくる送信メールデータを受信する近距離通信インタフェース部と、近距離通信インタフェース部で受信された送信メールデータに基づき送信メールを生成するメール送信部と、メール送信部で生成された送信メールをメールサーバに送信する遠距離通信インタフェース部とを備えている。
【００１４】
この発明に係る移動通信端末は、メール定型文およびメール定型文に付されるメールタイトルを生成するメール定型文生成部と、メール定型文生成部で生成されたメール定型文およびメールタイトルを蓄積するメール定型文蓄積部と、メール定型文生成部で生成されたメールタイトルを車載端末に送信するとともに、車載端末から送られてくる送信メールタイトルを受信する近距離通信インタフェース部と、近距離通信インタフェース部で受信された送信メールタイトルに対応するメール定型文をメール定型文蓄積部から読み出して送信メールを生成するメール送信部と、メール送信部で生成された送信メールをメールサーバに送信する遠距離通信インタフェース部とを備えている。
【００１５】
この発明に係る移動通信端末は、全ての送信メールタイトルを車載端末から受信する近距離通信インタフェース部と、近距離通信インタフェース部で受信された送信メールタイトルに基づきメール定型文を生成するメール定型文生成部と、メール定型文生成部で生成されたメール定型文および近距離通信インタフェース部で受信された送信メールタイトルを蓄積するメール定型文蓄積部と、近距離通信インタフェース部で受信された送信メールタイトルに対応するメール定型文をメール定型文蓄積部から読み出して送信メールを生成するメール送信部と、メール送信部で生成された送信メールをメールサーバに送信する遠距離通信インタフェース部とを備えている。
【００１６】
この発明に係るメール送受信システムは、（Ａ）近距離通信を制御する第１近距離通信インタフェース部と、メール定型文を蓄積するメール定型文蓄積部と、移動通信端末から第１近距離通信インタフェース部を介して受信したメール定型文をメール定型文蓄積部に蓄積させるとともに、メール送信要求に応答して、メール定型文蓄積部に蓄積されているメール定型文の１つを選択し、送信メールデータとして第１近距離通信インタフェース部を介して移動通信端末に送信する制御部とを備えた車載端末と、（Ｂ）メール定型文を生成するメール定型文生成部と、メール定型文生成部で生成されたメール定型文を車載端末に送信するとともに、車載端末から送られてくる送信メールデータを受信する第２近距離通信インタフェース部と、第２近距離通信インタフェース部で受信された送信メールデータに基づき送信メールを生成するメール送信部と、メール送信部で生成された送信メールをメールサーバに送信する遠距離通信インタフェース部とを備えた移動通信端末とを備えている。
【００１７】
この発明に係るメール送受信システムは、（Ａ）近距離通信を制御する第１近距離通信インタフェース部と、メール定型文に付されるメールタイトルを蓄積するメールタイトル蓄積部と、移動通信端末から第１近距離通信インタフェース部を介して受信したメールタイトルをメールタイトル蓄積部に蓄積させるとともに、メール送信要求に応答して、メールタイトル蓄積部に蓄積されているメールタイトルの１つを選択し、送信メールタイトルとして第１近距離通信インタフェース部を介して移動通信端末に送信するメールタイトル制御部とを備えた車載端末と、（Ｂ）メール定型文およびメール定型文に付されるメールタイトルを生成するメール定型文生成部と、メール定型文生成部で生成されたメール定型文およびメールタイトルを蓄積するメール定型文蓄積部と、メール定型文生成部で生成されたメールタイトルを車載端末に送信するとともに、車載端末から送られてくる送信メールタイトルを受信する第２近距離通信インタフェース部と、第２近距離通信インタフェース部で受信された送信メールタイトルに対応するメール定型文をメール定型文蓄積部から読み出して送信メールを生成するメール送信部と、メール送信部で生成された送信メールをメールサーバに送信する遠距離通信インタフェース部とを備えた移動通信端末とを備えている。
【００１８】
この発明に係るメール送受信システムは、（Ａ）近距離通信を制御する第１近距離通信インタフェース部と、メール定型文に付されるメールタイトルを予め蓄積するメールタイトル蓄積部と、移動通信端末からの要求に応答してメールタイトル蓄積部に蓄積された全てのメールタイトルを移動通信端末に送信し、さらに、メール送信要求に応答して、メールタイトル蓄積部に蓄積されているメールタイトルの１つを選択し、送信メールタイトルとして第１近距離通信インタフェース部を介して移動通信端末に送信するメールタイトル制御部とを備えた車載端末と、（Ｂ）全ての送信メールタイトルを車載端末から受信する第２近距離通信インタフェース部と、第２近距離通信インタフェース部で受信された送信メールタイトルに基づきメール定型文を生成するメール定型文生成部と、メール定型文生成部で生成されたメール定型文および第２近距離通信インタフェース部で受信された送信メールタイトルを蓄積するメール定型文蓄積部と、第２近距離通信インタフェース部で受信された送信メールタイトルに対応するメール定型文をメール定型文蓄積部から読み出して送信メールを生成するメール送信部と、メール送信部で生成された送信メールをメールサーバに送信する遠距離通信インタフェース部とを備えた移動通信端末とを備えている。
【発明の効果】
【００１９】
この発明によれば、利用者は、移動通信端末で予め作成したメール送信用のメール定型文を車載端末に転送し、車載端末では、このメール定型文を利用して送信メールを作成することができる。従って、利用者は、日常の暇な時に、移動通信端末上でメール定型文を作成しておき、必要に応じて車載端末に転送することにより、定型文作成作業という煩わしい作業を車内でしなくてすむ。
【００２０】
この発明によれば、車載端末側ではメールタイトルのみ蓄積すればよいので、車載端末での蓄積量を低減することができる。
【００２１】
この発明によれば、移動通信端末から車載端末に対してメール定型文もメールタイトルも転送する必要がなくなり、車載端末から送信メールのメールタイトルのみを受信するだけで送信メールを生成できる。
【発明を実施するための最良の形態】
【００２２】
以下、この発明の実施の形態を、図面を参照しながら詳細に説明する。なお、以下の各実施の形態においては、同一または相当する構成部分には同一の符号を付して説明する。
実施の形態１．
図１は、この実施の形態１に係るメール送受信システムの構成を示す図である。このメール送受信システムは、カーナビゲーション装置１、携帯電話２、携帯電話パケット網３、メールサーバ４、インターネット５およびメール受信端末６から構成されている。カーナビゲーション装置１は、この発明の車載端末に対応し、携帯電話２は、この発明の移動通信端末に対応する。
【００２３】
このメール送受信システムにおいて、携帯電話２は、携帯電話パケット網３を介してメールサーバ４に接続される。メールサーバ４は、さらにインターネット５を介してパーソナルコンピュータや携帯電話といったメール受信端末６に接続されている。なお、このメール送受信システムのうち、携帯電話パケット網３、メールサーバ４、インターネット５およびメール受信端末６から構成される部分は、現在運用されている周知のメール送受信システムと同じ仕組みであるので詳細な説明は省略する。
【００２４】
カーナビゲーション装置１は、簡単に取り外しできないように車に固定されている。カーナビゲーション装置１の基本機能を実現するための構成および動作は周知であるので、以下では、この発明に直接関係する部分についてのみ説明する。
【００２５】
カーナビゲーション装置１は、送信メール生成部１０、赤外線通信インタフェース部１１、メール定型文制御部１２およびメール定型文蓄積部１３から構成されている。この発明の制御部は、送信メール生成部１０およびメール定型文制御部１２に対応する。
【００２６】
赤外線通信インタフェース部１１は、この発明の近距離通信インタフェース部および第１近距離通信インタフェース部に対応し、携帯電話２との間で行われる赤外線通信を制御する。メール定型文制御部１２は、メール定型文の蓄積や読み出しを制御する。メール定型文蓄積部１３は、メール定型文を蓄積する。このメール定型文蓄積部１３は、カーナビゲーション装置１の内部に設けられているＨＤＤ（Hard Disk Drive）または不揮発性メモリ（いずれも図示しない）によって構成することができる。送信メール生成部１０は、送信メールデータを生成する。
【００２７】
携帯電話２は、利用者によって車内に持ち込まれる。この携帯電話２の基本機能である電話機能およびメール送受信機能を実現するための構成および動作は周知であるので、以下では、この発明に直接関係する部分についてのみ説明する。
【００２８】
携帯電話２は、メール定型文生成部３０、赤外線通信インタフェース部３１、メール送信部３２およびパケット通信部３３から構成されている。
【００２９】
メール定型文生成部３０は、メール定型文を生成する。図２は、メール定型文生成部３０の詳細な構成を示すブロック図である。メール定型文生成部３０は、メール定型文制御部３０１、表示部３０２および入力部３０３から構成されている。表示部３０２は、携帯電話２のディスプレイから構成されており、例えば図３に示すようなメール定型文生成画面を表示する。入力部３０３は、携帯電話２のキーボードから構成されており、例えば図４に示すような、複数のキーを備えている。
【００３０】
赤外線通信インタフェース部３１は、この発明の近距離通信インタフェース部および第２近距離通信インタフェース部に対応し、カーナビゲーション装置１との間で行われる赤外線通信を制御する。メール送信部３２は、送信メールを生成する。パケット通信部３３は、この発明の遠距離通信インタフェース部に対応し、入力された送信メールをパケットデータに変換して携帯電話パケット網３に送出する。
【００３１】
上述したカーナビゲーション装置１の赤外線通信インタフェース部１１と携帯電話２の赤外線通信インタフェース部３１との間で行われる赤外線通信には、例えば、複数のノート型パーソナルコンピュータ間の通信に採用されているＩｒＤＡ（Infrared Data Association）の規格を採用することができる。
【００３２】
なお、この実施の形態１に係るメール送受信システムでは、カーナビゲーション装置１と携帯電話２との間で行われる近距離通信は、赤外線通信により行うように構成しているが、赤外線通信の代わりに、無線ＬＡＮ（Local Area Network）、ブルートゥース（Bluetooth）、ＵＷＢ（Ultra Wide Band）などを用いた無線通信や、カーナビゲーション装置１と携帯電話２とをケーブルで接続して有線通信を行うように構成することができる。
【００３３】
次に、上記のように構成される、この発明の実施の形態１に係るメール送受信システムの動作を説明する。
【００３４】
まず、携帯電話２の動作を説明する。携帯電話２のメール定型文生成部３０は、利用者による入力部３０３の操作に応じてメール定型文を生成し、生成したメール定型文を赤外線通信インタフェース部３１に送る。このメール定型文生成部３０でメール定型文を生成するメール定型文生成処理については後述する。
【００３５】
赤外線通信インタフェース部３１は、メール定型文生成部３０から受け取ったメール定型文を赤外線によってカーナビゲーション装置１に送信する。また、赤外線通信インタフェース部３１は、カーナビゲーション装置１の赤外線通信インタフェース部１１から赤外線によって送信されてくる送信メールデータをメール送信部３２に送る。
【００３６】
メール送信部３２は、赤外線通信インタフェース部３１から受け取った送信メールデータに基づいて送信メールを生成し、パケット通信部３３に送る。このメール送信部３２で行われる送信メール生成処理については後述する。
【００３７】
パケット通信部３３は、メール送信部３２から受け取った送信メールをパケットデータに変換し、携帯電話パケット網３を介してメールサーバ４に送信する。このパケット通信部３３において実行されるメール送信処理は、既存の携帯電話におけるメール送信処理と同様の処理によって実現できる。
【００３８】
次に、メール定型文生成部３０で行われるメール定型文生成処理について説明する。メール定型文生成部３０では、まず、メール定型文制御部３０１は、メール定型文生成画面の表示要求を表示部３０２に出力する。これにより、表示部３０２に、図３に示すようなメール定型文生成画面が表示される。
【００３９】
携帯電話２の利用者は、入力部３０３を操作して、作成したいメール定型文を構成する文字列を入力する。文字列の入力が完了した後、携帯電話２の利用者は、メール定型文生成画面上に表示された入力完了ボタンを押す。メール定型文制御部３０１は、入力完了ボタンが押下されると、表示部３０２に表示された文字列をメール定型文として赤外線通信インタフェース部３１に送る。
【００４０】
なお、メール定型文生成処理における文字列の入力処理および画面表示処理は、既存の携帯電話のキー入力処理および液晶ディスプレイに対する表示処理と同様の処理によって実現できる。
【００４１】
次に、メール送信部３２で行われる送信メール生成処理について説明する。メール送信部３２は、カーナビゲーション装置１から送信されてくる送信メールデータ（詳細は後述する）に含まれている、「件名：」「宛先：」「内容：」の各項目に入っている文字列を、ＲＦＣ２８２２（ＩＥＴＦ（Internet Engineering Task Force）が定めたインターネットメッセージのフォーマット）で規定されているフォーマットに変換して送信メールを生成する。ＲＦＣ２８２２のメールフォーマットに変換する処理は、既存のパーソナルコンピュータなどで動作する電子メールソフトにおいて行われる処理と同じである。
【００４２】
なお、カーナビゲーション装置１において、ＲＦＣ２８２２によって規定されたフォーマットで送信メールを生成して携帯電話２に送信し、携帯電話２のメール送信部３２では、受信した送信メールをそのままパケット通信部３３に送るように構成することもできる。
【００４３】
カーナビゲーション装置１から送信されてくる送信メールデータは、以下に挙げる項目を含み、各項目に対して、文字列が入力された形式で携帯電話２に送信される。
・件名：送信メールのタイトル（ＲＦＣ２８２２におけるSubject：フィールド）
・宛先：送信メールの送信先メールアドレス（ＲＦＣ２８２２におけるTo：フィールド）
・内容：送信メール内容（メール定型文）
【００４４】
なお、送信メールデータには、上述した項目の他に、ＲＦＣ２８２２で規定されているＣＣ：フィールドやＢＣＣ：フィールドなどを含むように構成することができる。
【００４５】
次に、カーナビゲーション装置１の動作を説明する。カーナビゲーション装置１の赤外線通信インタフェース部１１は、携帯電話２の赤外線通信インタフェース部３１から受信したメール定型文をメール定型文制御部１２に送る。メール定型文制御部１２は、受け取ったメール定型文をメール定型文蓄積部１３に蓄積する。また、メール定型文制御部１２は、送信メール生成部１０からのメール定型文取得要求に応答して、メール定型文蓄積部１３に蓄積されているメール定型文を読み出して、送信メール生成部１０に送る。
【００４６】
送信メール生成部１０は、図示しない入力部の操作によって発生されたメール送信要求に応答して、メール定型文制御部１２に対してメール定型文取得要求を発行するとともに、このメール定型文取得要求に応答してメール定型文制御部１２から送られてくるメール定型文と所定の送信先メールアドレスおよび所定の送信メールタイトルを含む送信メールデータを生成し、赤外線通信インタフェース部１１を介して、携帯電話２に送信する。
【００４７】
なお、送信メール生成部１０は、所定の送信先メールアドレスおよび所定の送信メールのタイトルを用いて送信メールデータを生成するように構成しているが、送信先メールアドレスおよび送信メールタイトルは、複数の候補の中からカーナビゲーション装置１の利用者が選択するように、或いは、カーナビゲーション装置１の利用者が図示しない入力部から入力するように構成することができる。また、送信メール生成部１０は、送信メールデータを生成して携帯電話２に送信するように構成しているが、送信メール生成部１０において、ＲＦＣ２８２２で規定されているフォーマットで送信メールを生成して携帯電話２に送信するように構成することもできる。
【００４８】
以上説明したように、この発明の実施の形態１に係るメール送受信システムによれば、利用者は、携帯電話２で予め作成したメール送信用のメール定型文をカーナビゲーション装置１に転送し、カーナビゲーション装置１では、このメール定型文を利用して送信メールデータを作成することができる。従って、利用者は、日常の暇な時に、携帯電話２上でメール定型文を作成しておき、必要に応じてカーナビゲーション装置１に転送することにより、定型文作成作業という煩わしい作業を車内で行う必要がない。
【００４９】
なお、上述した実施の形態１に係るメール送受信システムでは、１つのメール定型文のみを携帯電話２からカーナビゲーション装置１に送信するように構成したが、複数のメール定型文を同時にまたは所定時間間隔で送信するように構成できる。この場合、カーナビゲーション装置１のメール定型文制御部１２では、メール定型文蓄積部１３に蓄積された複数のメール定型文のうちの１つを選択して送信メール生成部１０に送るように構成できる。
【００５０】
また、実施の形態１に係るメール送受信システムでは、送信メールデータのうち、送信メールの内容のみをメール定型文とするように構成したが、送信メールのタイトルもメール定型文に含めるように構成することもできる。
【００５１】
実施の形態２．
この発明の実施の形態２に係るメール送受信システムは、携帯電話２で作成された送信メールタイトルのみをカーナビゲーション装置１に送信するようにしたものである。
【００５２】
この実施の形態２に係るメール送受信システムは、図１に示した実施の形態１に係るメール送受信システムの構成要素のうち、カーナビゲーション装置１および携帯電話２の構成のみが実施の形態１のそれらと異なる。以下では、実施の形態１に係るメール送受信システムと相違する部分を中心に説明する。
【００５３】
図５は、カーナビゲーション装置１の構成を示すブロック図である。このカーナビゲーション装置１は、赤外線通信インタフェース部１１、メールタイトル制御部１４およびメールタイトル蓄積部１５から構成されている。
【００５４】
赤外線通信インタフェース部１１は、実施の形態１に係るカーナビゲーション装置１のそれと同じである。メールタイトル制御部１４は、メールタイトルの蓄積や読み出しを制御する。メールタイトル蓄積部１５は、メールタイトルを蓄積する。このメールタイトル蓄積部１５は、カーナビゲーション装置１の内部に設けられているＨＤＤまたは不揮発性メモリ（いずれも図示しない）によって構成できる。
【００５５】
図６は、携帯電話２の構成を示すブロック図である。この携帯電話２は、メール定型文生成部３０、赤外線通信インタフェース部３１、メール送信部３２、パケット通信部３３およびメール定型文蓄積部３４から構成されている。
【００５６】
メール定型文生成部３０、赤外線通信インタフェース部３１、メール送信部３２およびパケット通信部３３は、実施の形態１に係る携帯電話２のそれらと同じである。メール定型文蓄積部３４は、メール定型文およびメールタイトルを蓄積する。このメール定型文蓄積部３４は、例えば、既存の携帯電話において電話帳などを記憶するために使用される不揮発性メモリや超小型のＨＤＤを用いて構成できる。
【００５７】
次に、上記のように構成される、この発明の実施の形態２に係るメール送受信システムの動作を説明する。
【００５８】
まず、カーナビゲーション装置１の動作を説明する。カーナビゲーション装置１の赤外線通信インタフェース部１１は、携帯電話２の赤外線通信インタフェース部３１からメールタイトルを受信すると、その受信したメールタイトルをメールタイトル制御部１４に送る。
【００５９】
メールタイトル制御部１４は、受け取ったメールタイトルをメールタイトル蓄積部１５に蓄積する。メールタイトル制御部１４は、携帯電話２からメールタイトルが送信されてくる毎に、メールタイトルの蓄積を繰り返す。これにより、メールタイトル蓄積部１５には、図７に示すようなメールタイトルが記録される。
【００６０】
また、メールタイトル制御部１４は、カーナビゲーション装置１の利用者からのメール送信要求に応答して、メールタイトル蓄積部１５に蓄積されている複数のメールタイトルのうちの１つを選択して読み出し、送信メールタイトルとして所定の送信先メールアドレスと一緒に、赤外線通信インタフェース部１１を介して、携帯電話２に送信する。メール送信要求は、カーナビゲーション装置１に設けられた図示しない入力部を操作する、例えばボタンを押下することにより発生される。なお、メール送信要求は、利用者から直接的に指示されない場合であっても、例えば、外部からメールを受信した時に自動的に発生させるように構成することもできる。
【００６１】
次に、携帯電話２の動作を説明する。携帯電話２のメール定型文生成部３０は、利用者による入力部３０３の操作に応じてメール定型文およびメールタイトルを生成し、メールタイトルのみを赤外線通信インタフェース部３１を介してカーナビゲーション装置１に送信するとともに、メールタイトルおよびメール定型文をメール定型文蓄積部３４に送って蓄積させる。図７は、メール定型文蓄積部３４におけるメールタイトルおよびメール定型文の蓄積フォーマットを示す図である。メール定型文蓄積部３４には、メールタイトルとメール定型文とが対になって蓄積される。
【００６２】
一方、赤外線通信インタフェース部３１は、カーナビゲーション装置１から送信メールタイトルを受信すると、その送信メールタイトルをメール送信部３２に送る。メール送信部３２は、メール定型文蓄積部３４に蓄積されているメール定型文の中から、受信した送信メールタイトルに対応するメール定型文を検索し（検索処理の詳細は後述する）、検索したメール定型文およびメールタイトルに基づき送信メールを生成してパケット通信部３３に送る。パケット通信部３３は、メール送信部３２から受け取った送信メールをパケットデータに変換しメールサーバ４に送信する。
【００６３】
なお、メール定型文生成部３０で行われるメール定型文生成処理およびメール送信部３２において行われる送信メール生成処理の内容は、実施の形態１におけるそれらと同じである。
【００６４】
図８は、メール送信部３２で行われる、メール定型文蓄積部３４からメール定型文を検索する検索処理を示すフローチャートである。
【００６５】
この検索処理では、まず、ループカウンタｎが初期化（ｎ＝１）される（ステップＳＴ１０）。次いで、メール定型文蓄積部３４に蓄積されているｎ行目のメールタイトルと受信されたメールタイトルの文字列が比較される（ステップＳＴ１１）。ここで、文字列が一致しないことが判断されると、ループカウンタがインクリメント（ｎ＝ｎ＋１）され（ステップＳＴ１２）、その後、シーケンスはステップＳＴ１１に戻り、以下、ステップＳＴ１１およびＳＴ１２が繰り返し実行される。
【００６６】
このステップＳＴ１１およびＳＴ１２の繰り返し実行の途中で、ステップＳＴ１１において、文字列が一致したことが判断されると、ｎ行目のメール定型文がメール定型文蓄積部３４から読み出され、送信メールの内容としてメール送信部３２に送られる（ステップＳＴ１３）。以上により、検索処理は終了する。
【００６７】
以上説明したように、この発明の実施の形態２に係るメール送受信システムによれば、カーナビゲーション装置１にはメールタイトルのみを蓄積すればよいので、カーナビゲーション装置１での蓄積量を低減さることができる。
【００６８】
なお、上述した実施の形態２に係るメール送受信システムでは、携帯電話２からメールタイトルを送信するタイミングをメール定型文を生成した後とし、メールタイトルを１つずつカーナビゲーション装置１に送信するように構成したが、予め、メールタイトルおよびメール定型文をメール定型文蓄積部３４に蓄積しておき、携帯電話２の利用者からの要求（例えば送信ボタンの押下など）に応答して、メールタイトルをまとめてカーナビゲーション装置１に送信するように構成できる。
【００６９】
次に、この発明の実施の形態２に係るメール送受信システムの変形例を説明する。上述した実施の形態２に係るメール送受信システムでは、携帯電話２のメール定型文生成部３０において、メールタイトルとメール定型文を生成し、その内のメールタイトルのみをカーナビゲーション装置１に送信するようにしているが、この実施の形態２の変形例に係るメール送受信システムでは、カーナビゲーション装置１に予めメールタイトルを蓄積しておき、携帯電話２からの送信要求に応じて、全てのメールタイトルを送信メールタイトルとして携帯電話２に送信し、携帯電話２では、受信した送信メールタイトルに応じたメール定型文を生成してメール定型文蓄積部３４に蓄積するようにしている。
【００７０】
図９は、実施の形態２の変形例に係るメール送受信システムの動作を示すシーケンスチャートである。このメール送受信システムでは、まず、携帯電話２からメールタイトル送信要求を発行する（ステップＳＴ２０）。このメールタイトル送信要求を受信したカーナビゲーション装置１は、メールタイトル蓄積部１５に蓄積されている全てのメールタイトル（メールタイトルリスト）を読み出して送信メールタイトルとして携帯電話２に送信する（ステップＳＴ３０）。携帯電話２は、全てのメールタイトルを受信し（ステップＳＴ２１）、次いで、メール定型文を生成してメールタイトルと対応付けてメール定型文蓄積部３４に蓄積する（ステップＳＴ２２）。
【００７１】
この実施の形態２の変形例に係るメール送受信システムにおけるメール送信時の処理の内容は、上述した実施の形態２のそれと同じである。
【００７２】
以上説明したように、この発明の実施の形態２の変形例に係るメール送受信システムによれば、携帯電話２からカーナビゲーション装置１に対してメール定型文もメールタイトルも転送する必要がなくなり、カーナビゲーション装置１から送信メールのタイトルのみを受信するだけで送信メールを生成することが可能になる。
【００７３】
なお、上述した実施の形態２の変形例に係るメール送受信システムでは、携帯電話２からメールタイトル送信要求を発行するように構成したが、携帯電話２とカーナビゲーション装置１との通信接続処理が完了した際に、カーナビゲーション装置１から自動的に全てのメールタイトルを携帯電話２に送信するように構成することもできる。
【００７４】
また、上述した実施の形態２の変形例に係るメール送受信システムでは、カーナビゲーション装置１がメール送信する場合に、メールタイトル蓄積部１５に蓄積されたメールタイトルから任意に選択するように構成したが、カーナビゲーション装置１が取得して管理している車両情報に応じて、送信するメールタイトルを選択するように構成できる。例えば、高速道路を走行している場合には、「後で連絡します」のメールタイトルを、一般道路を走行中には、「只今運転中です」を選択して送信するように構成できる。なお、高速道路を走行しているかどうかの認識方法としては、既存のカーナビゲーション装置で採用されている方法を用いることができる。
【００７５】
実施の形態３．
この発明の実施の形態３に係るメール送受信システムは、カーナビゲーション装置１に蓄積されているメール定型文を送信メール候補として利用者に提示し、その中から選択された１つを送信メールとして送信するようにしたものである。
【００７６】
この実施の形態３に係るメール送受信システムは、図１に示した実施の形態１に係るメール送受信システムの構成要素のうち、カーナビゲーション装置１の構成のみが実施の形態１のそれらと異なる。以下では、実施の形態１に係るメール送受信システムと相違する部分を中心に説明する。
【００７７】
図１０は、カーナビゲーション装置１の構成を示すブロック図である。このカーナビゲーション装置１は、送信メール生成部１０、赤外線通信インタフェース部１１、メール定型文制御部１２、メール定型文蓄積部１３、メール定型文表示部１６、表示モニタ１７、音声認識部１８、音声入力部１９およびマイクロフォン２０から構成されている。この発明のメール定型文リスト表示部は、メール定型文表示部１６および表示モニタ１７から構成されている。また、この発明の利用者入力部は、音声認識部１８、音声入力部１９およびマイクロフォン２０から構成されている。
【００７８】
送信メール生成部１０、赤外線通信インタフェース部１１、メール定型文制御部１２およびメール定型文蓄積部１３は、実施の形態１に係るカーナビゲーション装置１のそれらと同じである。
【００７９】
メール定型文表示部１６は、メール定型文を表示モニタ１７にリスト形式で表示させる。音声認識部１８は、音声認識処理を実行する。音声入力部１９は、マイクロフォン２０から入力されたアナログの音声信号をデジタル音声信号に変換するＡ／Ｄ変換処理を行う。
【００８０】
次に、上記のように構成される、この発明の実施の形態３に係るメール送受信システムの動作を説明する。なお、メール送信時に行われるメール定型文の選択処理以外は、実施の形態１に係るメール送受信システムにおいて行われる処理と同じであるので、以下では、メール定型文の選択処理についてのみ説明する。
【００８１】
カーナビゲーション装置１の送信メール生成部１０は、メール送信時にメール定型文制御部１２から受け取ったメール定型文（メールタイトルも含む）に基づき送信メール候補リストを生成し、メール定型文表示部１６に送る。図１１は、送信メール候補リストのフォーマットの一例を示す図である。この送信メール候補リストは、リスト形式で表現されたデータから成り、メール番号およびメールタイトルから所望の送信メールを選択できるようになっている。
【００８２】
メール定型文表示部１６では、送信メール生成部１０から受け取った送信メール候補リストに基づき、例えば図１２（ａ）に示すように、メール番号とメール定型文（あるいは、メールタイトル）を一対にしてリスト表示の形式で表示モニタ１７に表示させる。なお、表示モニタ１７には、例えば図１２（ｂ）に示すように、地図とリストをほぼ半分ずつ表示させることもできるし、図１２（ｃ）に示すように、リストを地図の一部に小さく表示させることもできる。
【００８３】
カーナビゲーション装置１の利用者は、表示モニタ１７に表示されたリストの中から所望の番号（例えば「いちばん」、「にばん」など）をマイクロフォン２０に向かって発話する。音声入力部１９は、マイクロフォン２０から送られてくるアナログの音声信号をデジタル音声信号に変換して音声認識部１８に送る。音声認識部１８は、受け取ったデジタル音声信号に対して音声認識処理を行い、認識結果として得られた番号（１、２、３、・・・）を送信メール生成部１０に送る。送信メール生成部１０は、受け取った番号に対応する送信メール候補を送信メール候補リストから選択し、送信メールデータとして、赤外線通信インタフェース部１１を介して携帯電話２に送信する。
【００８４】
なお、音声入力部１９におけるＡ／Ｄ変換処理および音声認識部１８における音声認識処理としては、既存のカーナビゲーション装置におけるＡ／Ｄ変換処理および音声認識処理を利用できる。
【００８５】
以上説明したように、この発明の実施の形態３に係るメール送受信システムによれば、メール送信時にメール定型文表示部１６がメール定型文を表示モニタ１７に表示するので、利用者はリストの中から所望の内容を有する送信メールを選択することができる。
【００８６】
なお、上述した実施の形態３に係るメール送受信システムでは、カーナビゲーション装置１の利用者は、音声入力により所望の送信メール候補を選択するように構成したが、表示モニタ１７に表示された送信メール候補リストからカーナビゲーション装置１に付随しているリモートコントローラ、ジョイスティックキー、番号ボタン、タッチパネルなどを用いて選択するように構成することもできる。
【００８７】
また、表示モニタ１７に表示された送信メール候補リストから１つの送信メール候補を選択する際に、メール番号を発話させて音声認識することにより送信メール候補を選択するように構成したが、表示モニタ１７に表示される送信メール候補リストにメールタイトルを含め、メールタイトルを発話させて音声認識することにより送信メール候補を選択するように構成できる。
【００８８】
次に、この発明の実施の形態３に係るメール送受信システムの変形例を説明する。この実施の形態３の変形例に係るメール送受信システムは、メール定型文を音声により読みあげて利用者に提示し、この提示された中から１つのメール定型文を選択するようにしたものである。
【００８９】
図１３は、実施の形態３の変形例に係るメール送受信システムのカーナビゲーション装置１の構成を示すブロック図である。このカーナビゲーション装置１は、図１０に示した構成要素のメール定型文表示部１６および表示モニタ１７を、メール定型文読みあげ部２１およびスピーカ２２でそれぞれ置き換えて構成されている。メール定型文読みあげ部２１は、メール定型文をスピーカ２２で発話させる。この発明の音声読みあげ部は、メール定型文読みあげ部２１およびスピーカ２２から構成されている。
【００９０】
次に、上記のように構成される、この発明の実施の形態３の変形例に係るメール送受信システムの動作を説明する。
【００９１】
カーナビゲーション装置１のメール定型文読みあげ部２１は、送信メール生成部１０からテキストデータとして送られてきた送信メール候補リストに基づき、各送信メール候補の音声データを生成し、スピーカ２２に送る。これにより、スピーカ２２から、例えば「いちばん、かえりみちの、とちゅうです。」などの音声が発生される。このテキストデータである送信メール候補から音声データを生成するためには、既存のパーソナルコンピュータや携帯電話、カーナビゲーション装置などで用いられているＴＴＳ（Text To Speech）機能を利用することができる。
【００９２】
カーナビゲーション装置１の利用者は、スピーカ２２から発話された送信メール候補の中から所望の番号（例えば「いちばん」、「にばん」など）をマイクロフォン２０に向かって発話する。以後の動作は、上述した実施の形態３に係るメール送受信システムのカーナビゲーション装置１の動作と同じである。
【００９３】
以上説明したように、この発明の実施の形態３の変形例に係るメール送受信システムによれば、メール送信時にメール定型文読み出し部２１がメール定型文を音声でスピーカ２２から発生させるので、利用者は画面を見ないで、つまり、より安全に所望の送信メールを選択することができる。
【００９４】
実施の形態４．
この発明の実施の形態４に係るメール送受信システムは、音声読みあげ処理（ＴＴＳ処理）のうち、テキストの漢字かな混じり文字列から読みあげデータ（漢字やカタカナの読み）を生成する部分を携帯電話２で行い、メール定型文と合わせて読みあげデータをカーナビゲーション装置１に送信するようにしたものである。
【００９５】
この実施の形態４に係るメール送受信システムは、図１に示した実施の形態１に係るメール送受信システムの構成要素のうち、カーナビゲーション装置１および携帯電話２のみが実施の形態１のそれらと異なる。以下では、実施の形態１に係るメール送受信システムと相違する部分を中心に説明する。
【００９６】
図１４は、携帯電話２の構成を示すブロック図である。この携帯電話２は、メール定型文生成部３０、赤外線通信インタフェース部３１、メール送信部３２、パケット通信部３３および読み上げデータ生成部３５から構成されている。
【００９７】
赤外線通信インタフェース部３１、メール送信部３２およびパケット通信部３３は、実施の形態１に係る携帯電話２のそれらと同じである。メール定型文生成部３０は、メール定型文を生成する機能は実施の形態１のそれと同じであるが、生成したメール定型文およびこのメール定型文に基づいて生成された読みあげデータを赤外線通信インタフェース部３１に送る点で実施の形態１のそれと異なる。読みあげデータ生成部３５は、メール定型文から読みあげデータを生成する。
【００９８】
カーナビゲーション装置１の構成は、メール定型文読みあげ部２１の動作を除き、図１３に示した実施の形態３の変形例に係るメール送受信システムのカーナビゲーション装置１の構成と同じである。メール定型文読みあげ部２１は、送信メール生成部１０から送られてくる読みあげデータ（メール定型文ではない）に基づいて音声データを生成する。
【００９９】
次に、上記のように構成される、この発明の実施の形態４に係るメール送受信システムの動作を説明する。
【０１００】
まず、携帯電話２の動作を説明する。なお、メール送信処理は、実施の形態１におけるそれと同じであるので、ここでは、メール定型文の生成処理について説明する。メール定型文生成部３０は、実施の形態１で説明した方法と同様の方法でメール定型文を生成し、生成したメール定型文を読みあげデータ生成部３５に送る。読みあげデータ生成部３５は、読みあげデータを生成する。
【０１０１】
具体的には、読みあげデータ生成部３５は、メール定型文生成部３０から受け取った「漢字かな混じり」のメール定型文から、漢字の読みおよびカタカナの読みを、予め携帯電話２の内部に保持している辞書および文法ルールに基づいて検索し、すべてが平仮名から成る読みあげデータを生成する。なお、この読みあげデータの生成処理は、既存のパーソナルコンピュータ、携帯電話、カーナビゲーション装置などで行われているＴＴＳ処理の一部を利用して行うことができる。この読みあげデータ生成処理により、例えば「明日来て下さい。」というメール定型文が入力された場合は、「あしたきてください。」というすべてが平仮名から成る読みあげデータが生成される。
【０１０２】
メール定型文生成部３０は、上記のようにして生成した読みあげデータをメール定型文生成部３０に返す。メール定型文生成部３０は、読みあげデータ生成部３５から受け取った読みあげデータを、メール定型文と一緒に赤外線通信インタフェース部３１を介して、カーナビゲーション装置１に送信する。
【０１０３】
なお、読みあげデータ生成部３５では、漢字や仮名の「読み」のみを生成するように構成したが、単語と単語の間に短い休止期間を挿入したり、抑揚をつけるためのアクセント記号を付加するように構成することもできる。
【０１０４】
次に、カーナビゲーション装置１の動作を説明する。カーナビゲーション装置１のメール定型文制御部１２は、携帯電話２から赤外線通信インタフェース部１１を介して、メール定型文とその読みあげデータを受信すると、受信した読みあげデータに対して、メール定型文のメール番号に応じた読みあげデータ（例えば、いちばん、にばん、さんばん・・・）を付加して、メール定型文蓄積部１３に蓄積する。図１５は、メール定型文蓄積部１３に蓄積されるメール番号、メール定型文および読みあげデータの蓄積フォーマットを示す。
【０１０５】
メール送信時には、送信メール生成部１０は、メール定型文蓄積部１３からメール定型文制御部１２を介して、メール定型文と読みあげデータを合わせて受け取り、受け取った読みあげデータをメール定型文読みあげ部２１に送る。メール定型文読みあげ部２１は、受け取った読みあげデータから音声データを生成し、スピーカ２２に送る。これにより、スピーカ２２からメール定型文の内容が音声で出力される。なお、メール定型文読みあげ部２１における音声データの生成処理は、既存のＴＴＳ処理の一部を利用して行うことができる。
【０１０６】
以上説明したように、この発明の実施の形態４に係るメール送受信システムによれば、漢字かな混じり文字列を読みあげデータに変換する機能を携帯電話２に持たせたので、カーナビゲーション装置１の処理負荷を軽減できる。
【０１０７】
なお、上述した実施の形態４に係るメール送受信システムでは、メール内容のみを対象として読みあげデータを生成するように構成したが、メールタイトルも含めて読みあげデータを生成するように構成できる。
【０１０８】
実施の形態５．
この発明の実施の形態５に係るメール送受信システムは、読みあげデータの生成を、サーバで行うようにしたものである。
【０１０９】
図１６は、この発明の実施の形態５に係るメール送受信システムの構成を示す図である。このメール送受信システムは、実施の形態４に係るメール送受信システムに読みあげデータ生成サーバ７が追加されるとともに、携帯電話２の機能が変更されて構成されている。読みあげデータ生成サーバ７は、実施の形態４に係る携帯電話２の読みあげデータ生成部３５と同じ機能を有する。
【０１１０】
携帯電話２は、メール定型文生成部３０、赤外線通信インタフェース部３１、メール送信部３２およびパケット通信部３３から構成されている。
【０１１１】
赤外線通信インタフェース部３１およびメール送信部３２は、実施の形態１に係る携帯電話２のそれらと同じである。メール定型文生成部３０は、メール定型文を生成する機能は実施の形態１のそれと同じであるが、生成したメール定型文をパケット通信部３３に送り、パケット通信部３３から得られた読みあげデータとメール定型文とを一緒に赤外線通信インタフェース部３１に送る点で実施の形態１のそれと異なる。
【０１１２】
パケット通信部３３は、メール送信部３２から送られてくる送信メールをパケットデータに変換し、携帯電話パケット網３を介してメールサーバ４に送信する機能は実施の形態１のそれと同じであるが、以下の機能が追加されている点が実施の形態１のそれと異なる。即ち、実施の形態５に係るパケット通信部３３は、メール定型文生成部３０で生成されたメール定型文をパケットデータに変換し、携帯電話パケット網３を介して読みあげデータサーバ７に送信するとともに、読みあげデータ生成サーバ７から携帯電話パケット網３を介して受信した読みあげデータをメール定型文生成部３０に送る機能を有する。
【０１１３】
次に、上記のように構成される、この発明の実施の形態５に係るメール送受信システムの動作を説明する。なお、カーナビゲーション装置１の動作は、実施の形態４のそれと同じであるので、以下では、携帯電話２の動作についてのみ説明する。
【０１１４】
携帯電話２では、メール定型文生成部３０は、実施の形態１で説明した方法と同様の方法でメール定型文を生成し、生成したメール定型文をパケット通信部３３に送る。パケット通信部３３は、メール定型文生成部３０から受け取ったメール定型文をパケットデータに変換し、携帯電話パケット網３を介して読みあげデータ生成サーバ７に送信する。
【０１１５】
また、パケット通信部３３は、読みあげデータ生成サーバ７から携帯電話パケット網３を介して返される読みあげデータをメール定型文生成部３０に送る。メール定型文生成部３０は、生成したメール定型文とパケット通信部３３から受け取った読みあげデータを一緒にして、赤外線通信インタフェース部３１を介して、カーナビゲーション装置１に送信する。
【０１１６】
なお、上述したパケット通信部３３において行われる読みあげデータ生成サーバ７との間の通信処理は、既存の携帯電話とサーバとの間の通信を制御するためのサーバ−クライアント通信処理を利用して行うことができる。
【０１１７】
以上説明したように、この発明の実施の形態５に係るメール送受信システムによれば、読みあげデータ生成サーバ７を用意し、携帯電話２からメール定型文を読みあげデータサーバ７に送信し、読みあげデータ生成サーバ７から返される読みあげデータをカーナビゲーション装置１に送信するように構成したので、携帯電話２の構成が簡単になる。また、メール定型文から読みあげデータを生成する処理を読みあげデータ生成サーバ７で行うように構成したので、これを携帯電話２で行う場合と比較して、より容量の大きな辞書・文法ルールを参照することができる。その結果、読みあげの精度を向上させることができる。
【０１１８】
なお、上述した実施の形態５では、読みあげデータ生成サーバ７は、携帯電話パケット網３に接続するように構成したが、携帯電話パケット網３とインターネット５との間を接続するためのゲートウェイを用いることにより、読みあげデータ生成サーバ７をインターネット５に接続するように構成できる。
【０１１９】
実施の形態６．
この発明の実施の形態６に係るメール送受信システムは、複数のメール定型文を組み合わせて送信メールを作成するようにしたものである。
【０１２０】
この実施の形態６に係るメール送受信システムは、図１に示した実施の形態１に係るメール送受信システムの構成要素のうち、カーナビゲーション装置１のみが実施の形態１のそれと異なる。以下では、実施の形態１に係るメール送受信システムと相違する部分を中心に説明する。
【０１２１】
図１７は、カーナビゲーション装置１の構成を示すブロック図である。このカーナビゲーション装置１は、送信メール生成部１０、赤外線通信インタフェース部１１、メール定型文制御部１２、メール定型文蓄積部１３およびメール定型文組合せ部２３から構成されている。
【０１２２】
送信メール生成部１０、赤外線通信インタフェース部１１、メール定型文制御部１２およびメール定型文蓄積部１３は、実施の形態１のそれらと同じである。メール定型文組合せ部２３は、複数のメール定型文を組み合わせる処理を行う（詳細は後述する）。
【０１２３】
次に、上記のように構成される、この発明の実施の形態６に係るメール送受信システムの動作を説明する。なお、携帯電話２の動作は、実施の形態１のそれと同じであるので、以下では、カーナビゲーション装置１の動作についてのみ説明する。
【０１２４】
メール定型文の受信処理および蓄積処理は、上述した各実施の形態と同様であるので、以下では、メール送信時の動作についてのみ説明する。
【０１２５】
メール送信時には、メール定型文制御部１２は、メール定型文蓄積部１３に蓄積されている複数のメール定型文の中から任意の２つのメール定型文を選択し、選択したメール定型文を送信メール生成部１０に送る。送信メール生成部１０では、受け取った２つのメール定型文をメール定型文組合せ部２３に送る。
【０１２６】
この場合、まず、第１のメール定型文をメール定型文組合せ部２３に送り、メール定型文組合せ部２３から受信完了を受け取った後に、第２のメール定型文をメール定型文組合せ部２３に送るように構成できる。あるいは、第１のメール定型文と第２のメール定型文を区切り記号（例えば「：」、「＆」など）で接続し、１つのテキストとして送信し、メール定型文組合せ部２３で区切り記号の前後を切り取り、第１のメール定型文および第２のメール定型文として使用するように構成することもできる。
【０１２７】
メール定型文組合せ部２３は、送信メール生成部１０から受け取った２つのメール定型文を組合せて組合せメール定型文を生成する。即ち、送信メール生成部１０から送られてくる第１のメール定型文と第２のメール定型文を単純に接合して１つの文にし、組合せメール定型文を生成する。例えば、第１のメール定型文が、「現在、運転中です。」であり、第２のメール定型文が、「後で連絡します。」である場合には、２つの定型文を接合することにより、「現在、運転中です。後で連絡します。」という組合せメール定型文が生成される。メール定型文組合せ部２３は、このようにして生成した組合せメール定型文を送信メール生成部１０に送る。
【０１２８】
送信メール生成部１０は、メール定型文組合せ部２３から返されてくる組合せメール定型文を送信メールの内容とする送信メールデータを生成し、赤外線通信インタフェース部１１を介して携帯電話２に送信する。
【０１２９】
なお、上述したメール送受信システムでは、組み合わせるメール定型文の数を２つとしているが、３つ以上のメール定型文を組み合わせる（接合する）ように構成することもできる。また、上述したメール送受信システムでは、カーナビゲーション装置１が組み合わせるメール定型文を自動的に選択するように構成したが、実施の形態３や実施の形態４に係るメール送受信システムのように、カーナビゲーション装置１の利用者に組み合わせるメール定型文を選択させるように構成することもできる。
【０１３０】
また、上述したメール送受信システムでは、単純に２つのメール定型文を接合するだけで組合せメール定型文を生成するように構成したが、重複する文字列を省いて生成するように構成することもできる。例えば、「こんにちは、現在、運転中です。」という定型文と、「こんにちは、後で連絡します。」という定型文とを組み合わせる場合に、文字列比較を行って「こんにちは、」が重複していると判定し、２つ目の「こんにちは、」を省略し、「こんにちは、現在、運転中です。後で連絡します。」という文を生成する。
【０１３１】
以上説明したように、この発明の実施の形態６に係るメール送受信システムによれば、複数のメール定型文を送信メール候補として選択し、それらの定型文を組み合わせて送信メールデータを作成するように構成したので、送信メール内容のバリエーションを増やすことができる。
【０１３２】
実施の形態７．
この発明の実施の形態７に係るメール送受信システムは、メール定型文の内部に動的に変化する変数（以下、「テンプレート変数」と呼ぶ）を入れてメール定型文を生成し、カーナビゲーション装置１で、テンプレート変数に値を代入することにより、送信メール内容とするようにしたものである。
【０１３３】
この実施の形態７に係るメール送受信システムは、図１に示した実施の形態１に係るメール送受信システムの構成要素のうち、カーナビゲーション装置１および携帯電話２のみが実施の形態１のそれと異なる。以下では、実施の形態１に係るメール送受信システムと相違する部分を中心に説明する。
【０１３４】
携帯電話２は、メール定型文生成部３０の動作を除き、実施の形態１のそれと同じである。メール定型文生成部３０の動作については後述する。
【０１３５】
図１８は、カーナビゲーション装置１の構成を示すブロック図である。このカーナビゲーション装置１は、送信メール生成部１０、赤外線通信インタフェース部１１、メール定型文制御部１２、メール定型文蓄積部１３および車両情報取得部２４から構成されている。
【０１３６】
送信メール生成部１０、赤外線通信インタフェース部１１、メール定型文制御部１２およびメール定型文蓄積部１３は、実施の形態１のそれらと同じである。車両情報取得部２４は、車両情報を取得する。
【０１３７】
図１９は、車両情報取得部２４の詳細な構成を示すブロック図である。車両情報取得部２４は、現在位置検出部２４１、地図データ蓄積部２４２および地図データアクセス部２４３から構成されている。
【０１３８】
現在位置検出部２４１は、ＧＰＳ（Global Positioning System）衛星からのＧＰＳ信号に基づきカーナビゲーション装置１が搭載された車両の現在位置を検出する。地図データ蓄積部２４２は、地図データを記憶する。地図データアクセス部２４３は、現在位置検出部２４１で検出された現在位置に対応する地図データを地図データ蓄積部２４２から読み出して送信メール生成部１０に送る。
【０１３９】
次に、上記のように構成される、この発明の実施の形態７に係るメール送受信システムの動作を説明する。
【０１４０】
まず、携帯電話２の動作を説明する。この携帯電話２の動作は、テンプレート変数を含んだメール定型文を生成する点を除けば、実施の形態１に係る携帯電話の動作と同じである。ここで、テンプレート変数とは、図２０に示すような変数であり、例えば、「#location#」のように、「＃」で囲まれてメール定型文内に記述される。なお、テンプレート変数をメール定型文の中に記述する方法としては、図４に示すような携帯電話２の入力部３０３から入力する方法、あるいは、予めテンプレート変数リストを用意しておき、図３に示すようなメール定型文生成画面にテンプレート変数リストを表示させ、表示された複数のテンプレート変数の中から所望のテンプレート変数を利用者に選択させる方法を採用できる。
【０１４１】
次に、カーナビゲーション装置１の動作を説明する。カーナビゲーション装置１の送信メール生成部１０は、メール送信時に、送信メール生成処理を実行する。即ち、送信メール生成部１０は、メール定型文蓄積部１３からメール定型文制御部１２を介してメール定型文を受け取ると、受け取ったメール定型文の文中からテンプレート変数を読み出し、読み出したテンプレート変数を車両情報取得部２４に送る。
【０１４２】
テンプレート変数を受け取った車両情報取得部２４は、車両情報取得処理を実行する。この車両情報取得処理について、カーナビゲーション装置１が搭載されている車両の現在位置情報を取得する場合を例に取って説明する。即ち、車両情報取得部２４の地図データアクセス部２４３は、送信メール生成部１０から送られてくるテンプレート変数を受け取る。テンプレート変数を受け取った地図データアクセス部２４３は、まず、現在位置検出部２４１に対して、車両の現在位置情報の取得を要求し、送信メール生成部１０から受け取ったテンプレート変数が「location」である場合は、現在位置検出部２４１から返される現在位置座標（緯度・経度）に含まれる数値データを文字列データに変換して送信メール生成部１０に送り、送信メール生成部１０から受け取ったテンプレート変数が「locationName」である場合は、さらに、現在位置座標（緯度・経度）に対応した地名を地図データ蓄積部２４２から取得し、取得した地名を送信メール生成部１０に送る。
【０１４３】
なお、現在位置検出部２４１における現在位置座標（緯度・経度）の取得処理については、例えば特開平３−２０２０６５号公報や特開平９−２３６６５０号公報に記載の位置検出装置で説明されている処理、即ち、複数個のＧＰＳ衛星との間の位置と距離から現在位置座標を算出する処理を用いることができる。また、地図データアクセス部２４３において行われる、現在位置情報を使って地図データ蓄積部２４２から地名を取得する方法としては、既存のカーナビゲーション装置で使用されている方法を用いることができる。
【０１４４】
送信メール生成部１０は、車両情報取得部２４から返されるテンプレート変数に対応した車両情報（文字列データ）を受け取り、受け取った車両情報を、メール定型文のテンプレート変数と置き換えて送信メールの内容とする。複数のテンプレート変数が含まれている場合には、上述した処理が繰り返される。
【０１４５】
なお、上述したメール送受信システムでは、車両情報取得部２４で取得する車両情報として、車両の現在位置情報を例にとって説明したが、現在位置情報以外に、以下に挙げる車両情報を取得することも可能である。この場合、それぞれに対応したテンプレート変数がメール定型文の中に設定される。なお、以下に示すカーナビゲーション装置１の経路探索部、登録地管理部、時刻管理部およびＶＩＣＳ（Vehicle Information and Communication System）制御部（いずれも図示を省略）は周知であるので、説明を省略する。
（１）地図情報（ラスターデータ・ベクターデータ）：カーナビゲーション装置１の地図データ蓄積部２４２から取得される。
（２）目的地情報（位置座標・地名）：カーナビゲーション装置１の経路探索部から取得される。
（３）経由地情報（位置座標・地名）：カーナビゲーション装置１の経路探索部から取得される。
（４）登録地情報（位置座標・地名）：カーナビゲーション装置１の登録地管理部から取得される。
（５）時刻情報（年月日・時刻・曜日）：カーナビゲーション装置１の時刻管理部から取得される。
（６）施設情報（施設名称）：カーナビゲーション装置１の地図データ蓄積部２４２から取得される。
（７）経路情報（通過する道路・到着予想時刻）：カーナビゲーション装置１の経路探索部から取得される。
（８）交通情報（渋滞情報・通行規制情報）：カーナビゲーション装置１のＶＩＣＳ制御部から取得される。
（９）気象情報（気温・湿度）：カーナビゲーション装置１に接続されたエアコン（図示しない）から取得される。
（１０）音楽情報（曲名・アルバム名）：カーナビゲーション装置１に接続されたＣＤ（Compact Disc）プレーヤ（図示しない）から取得される。
【０１４６】
なお、テンプレート変数で指定するデータとしては、文字列データに限定されない。例えば、カーナビゲーション装置１に接続されたカメラの映像を動画ファイル（ＭＰＥＧ（Moving Picture Experts Group）、ＡＶＩ（Audio Video Interleaving）ファイル）としてメール添付データにすることもできるし、映像の一部を静止画として、ＪＰＥＧ（Joint Photographic Experts Group）やＧＩＦ（Graphic Interchange Format）などの画像フォーマットでメールに添付することもできる（上述した地図情報も同様である）。また、音楽情報についても、現在聴いている音楽データとしてＭＰ３（MPEG Audio Layer-3）データやＭＩＤＩ（Musical Instruments Digital Interface）データを指定し、添付データとしてメールで送付するように構成することもできる。
【０１４７】
以上説明したように、この発明の実施の形態７に係るメール送受信システムによれば、メール定型文内に動的に変化するテンプレート変数を入れて生成し、カーナビゲーション装置１で、テンプレート変数に値を代入することにより、送信メール内容としたので、携帯電話２で作成したメール定型文から、車両状況に応じたメール内容を生成して送信することができる。例えば、「現在、［大阪市都島区］を走行中です。［大阪ドーム］には、［１６時３０分］頃到着します。」（［  ］の内部がテンプレート変数）といったメールを送信することができる。
【０１４８】
なお、上述した実施の形態７に係るメール送受信システムでは、携帯電話２でテンプレート変数が記述されたメール定型文を生成するように構成したが、このメール送受信システムは、以下のように変形できる。
【０１４９】
図２１は、この発明の実施の形態７の変形例に係るメール送受信システムを構成するカーナビゲーション装置１の構成を示すブロック図である。このカーナビゲーション装置１は、図１８に示した構成に、テンプレート変数蓄積部２５が追加されて構成されている。テンプレート変数蓄積部２５は、カーナビゲーション装置１で扱い可能なテンプレート変数を予め蓄積している。
【０１５０】
上記のように構成されるメール送受信システムでは、カーナビゲーション装置１は、テンプレート変数蓄積部２５に予め蓄積されているテンプレート変数候補を携帯電話２に送信し、携帯電話２では、メール定型文を生成する際に、受信したテンプレート変数候補を使って、メール定型文を生成する。
【０１５１】
この実施の形態７の変形例に係るメール送受信システムによれば、カーナビゲーション装置１で取り扱い可能なテンプレート変数のみでメール定型文を作成することができる。また、携帯電話２では、カーナビゲーション装置１に対応可能なテンプレート変数を含むメール定型文を作成することができる。
【０１５２】
実施の形態８．
この発明の実施の形態８に係るメール送受信システムは、携帯電話２の内部に保持している辞書を利用して行ったかな漢字変換履歴をカーナビゲーション装置１に送信するようにしたものである。
【０１５３】
この実施の形態８に係るメール送受信システムは、図１に示した実施の形態１に係るメール送受信システムの構成要素のうち、カーナビゲーション装置１および携帯電話２のみが実施の形態１のそれと異なる。以下では、実施の形態１に係るメール送受信システムと相違する部分を中心に説明する。
【０１５４】
図２２は、携帯電話２の構成を示すブロック図である。この携帯電話２は、メール定型文生成部３０、赤外線通信インタフェース部３１、メール送信部３２、パケット通信部３３およびかな漢字変換履歴蓄積部３６から構成されている。
【０１５５】
赤外線通信インタフェース部３１、メール送信部３２およびパケット通信部３３は、実施の形態１に係る携帯電話２のそれらと同じである。メール定型文生成部３０は、メール定型文を生成する機能は実施の形態１のそれと同じであるが、かな漢字変換履歴蓄積部３６からのかな漢字変換履歴を赤外線通信インタフェース部３１に送る点で実施の形態１のそれと異なる。かな漢字変換履歴蓄積部３６は、携帯電話２のかな漢字変換の履歴を記憶する。
【０１５６】
図２３は、カーナビゲーション装置１の構成を示すブロック図である。このカーナビゲーション装置１は、送信メール生成部１０、赤外線通信インタフェース部１１、メール定型文制御部１２、メール定型文蓄積部１３、メール定型文表示部１６、表示モニタ１７、メール定型文組合せ部２３、リモートコントローラ（以下、「リモコン」と略する）入力部２７およびリモコン２８から構成されている。
【０１５７】
送信メール生成部１０、赤外線通信インタフェース部１１、メール定型文制御部１２およびメール定型文蓄積部１３は、実施の形態１に係るカーナビゲーション装置１のそれらと同じである。また、メール定型文組合せ部２３は、実施の形態６のカーナビゲーション装置１のそれと同じである。また、メール定型文表示部１６および表示モニタ１７は、実施の形態３のそれらと同じである。
【０１５８】
かな漢字変換履歴蓄積部２６は、携帯電話２から受信したかな漢字変換履歴を蓄積する。リモコン入力部２７は、リモコン２８から入力されるコードＩＤから、押下されたボタンを識別する。
【０１５９】
次に、上記のように構成される、この発明の実施の形態８に係るメール送受信システムの動作を説明する。
【０１６０】
まず、携帯電話２の動作を説明する。既存の携帯電話は、メールや電話帳への文字入力のために、かな漢字変換辞書を備えており、このかな漢字変換辞書を利用してかな漢字変換を行った変換履歴を記憶している。そして、文字入力を行う際に、この変換履歴を参照することにより、利用者が良く使う言葉の入力が容易になっている。例えば、「お」と入力することで、「おはようございます。」が変換候補として出力される。メール定型文生成部が３０は、このような変換履歴を蓄積しているかな漢字変換履歴蓄積部３６から、変換履歴を読み出して、メール定型文をカーナビゲーション装置１に送信する時に、メール定型文と一緒にカーナビゲーション装置１に送信する。
【０１６１】
以下では、変換履歴として、「こんにちは」、「こんばんは」、「佐藤さん」（人名）、「鈴木さん」（人名）を送付した場合を例に挙げて説明する。
【０１６２】
次に、カーナビゲーション装置１の動作を説明する。メール定型文の受信時は、メール定型文制御部１２は、赤外線通信インタフェース部１１から、メール定型文と変換履歴を受信し、メール定型文は、所定のフォーマットでメール定型文蓄積部１３に送り、変換履歴は、単語をリスト形式にしてかな漢字変換履歴蓄積部２６に送ってそれぞれ蓄積させる。
【０１６３】
一方、メール送信時は、メール定型文制御部１２は、メール定型文蓄積部１３およびかな漢字変換履歴蓄積部２６から、メール定型文および変換履歴を読み出して送信メール生成部１０に送る。送信メール生成部１０は、受け取ったメール定型文および変換履歴をメール定型文表示部１６に送る。メール定型文表示部１６は、受け取ったメール定型文および変換履歴に基づき、メール定型文選択画面を表示モニタ１７に表示させる。図２４は、メール定型文選択画面の一例を示す図である。
【０１６４】
カーナビゲーション装置１の利用者は、リモコン２８の例えばジョイスティックキーを使って、メール定型文選択画面上のボタンを操作し、自分の入力したいメール内容の文字列を順番に選択していく。リモコン入力部２７は、選択されたボタンに対応するメール定型文または変換履歴の取得をメール定型文表示部１６に要求して取得する。そして、選択されたボタンに対応するメール定型文または変換履歴を送信メール生成部１０に送る。送信メール生成部１０は、受け取ったメール定型文または変換履歴をメール定型文組合せ部２３に送る。利用者が入力完了ボタンを押下するまで上述した処理が繰り返される。
【０１６５】
そして、送信メール生成部１０は、メール定型文組合せ部２３で接合することにより生成された組合せメール定型文を受け取り、送信メール内容として、赤外線通信インタフェース部１１を介して携帯電話２に送信する。例えば、メール定型文として、「只今、運転中です。」、「後で連絡します。」、「遅くなります。」、「もうすぐ着きます。」という４つが表示モニタ１７に表示され、変換履歴として、上述した「こんにちは」、「こんばんは」、「佐藤さん」、「鈴木さん」という４つが表示モニタ１７に表示されている場合、この中から、順番に、「こんにちは」、「佐藤さん」、「只今、運転中です。」の３つを選択したとすると、送信メール内容は、「こんにちは佐藤さん只今、運転中です。」になる。
【０１６６】
なお、カーナビゲーション装置１におけるリモコン入力部２７の選択ボタンに対応する文字列を取得する処理としては、既存のカーナビゲーション装置における施設選択などのメニュー操作における処理を利用できる。
【０１６７】
以上説明したように、この発明の実施の形態８に係るメール送受信システムによれば、携帯電話２の内部に保持している辞書の変換履歴をカーナビゲーション装置１に送信して送信メールを作成するようにしたので、日常の携帯電話で良く使う用語、例えば、個人の氏名や地名の呼称などを定型文と組み合わせて送信メールを生成できるので、送信メール内容に、よりバリエーションを持たせることができる。
【０１６８】
なお、上述した実施の形態８に係るメール送受信システムでは、メール定型文および変換履歴の選択を、利用者によるリモコン入力で行うように構成したが、実施の形態３で説明したように、音声入力により選択したり、タッチパネルによりボタンを押下させて選択するように構成できる。
【０１６９】
また、上述した実施の形態８に係るメール送受信システムでは、送信するメール定型文および変換履歴を利用者が選択するように構成したが、カーナビゲーション装置１が任意に選択して送信メール内容を生成するように構成できる。
【０１７０】
さらに、上述した実施の形態８に係るメール送受信システムでは、携帯電話２のかな漢字変換履歴蓄積部３６に蓄積されている変換履歴を全てカーナビゲーション装置１に送信するように構成したが、変換履歴の一部を利用者に選択させて送信するように構成することができる。この構成によれば、利用者が送信したくない変換履歴の送信を抑止できるというメリットがある。
【図面の簡単な説明】
【０１７１】
【図１】この発明の実施の形態１に係るメール送受信システムの構成を示す図である。
【図２】図１に示す携帯電話のメール定型文生成部の詳細な構成を示すブロック図である。
【図３】図１に示す携帯電話の表示部に表示されるメール定型文生成画面の例を示す図である。
【図４】図１に示す携帯電話の入力部のキーボードの例を示す図である。
【図５】この発明の実施の形態２に係るメール送受信システムを構成するカーナビゲーション装置の構成を示すブロック図である。
【図６】この発明の実施の形態２に係るメール送受信システムを構成する携帯電話の構成を示すブロック図である。
【図７】図６に示す携帯電話のメール定型文蓄積部における蓄積フォーマットを示す図である。
【図８】図６に示す携帯電話のメール送信部で行われる、メール定型文蓄積部からメール定型文を検索する検索処理を示すフローチャートである。
【図９】この発明の実施の形態２の変形例に係るメール送受信システムの動作を説明するためのシーケンスチャートである。
【図１０】この発明の実施の形態３に係るメール送受信システムを構成するカーナビゲーション装置の構成を示すブロック図である。
【図１１】図１０に示すカーナビゲーション装置で使用される送信メール候補リストのフォーマットを示す図である。
【図１２】図１０に示すカーナビゲーション装置で表示モニタに表示される送信メール候補リストの例を示す図である。
【図１３】この発明の実施の形態３の変形例に係るメール送受信システムを構成するカーナビゲーション装置の構成を示すブロック図である。
【図１４】この発明の実施の形態４に係るメール送受信システムを構成する携帯電話の構成を示すブロック図である。
【図１５】この発明の実施の形態４に係るメール送受信システムを構成するカーナビゲーション装置のメール定型文蓄積部における蓄積フォーマットを示す図である。
【図１６】この発明の実施の形態５に係るメール送受信システムの構成を示す図である。
【図１７】この発明の実施の形態６に係るメール送受信システムを構成するカーナビゲーション装置の構成を示すブロック図である。
【図１８】この発明の実施の形態７に係るメール送受信システムを構成するカーナビゲーション装置の構成を示すブロック図である。
【図１９】図１８に示す車両情報取得部の詳細な構成を示すブロック図である。
【図２０】この発明の実施の形態７に係るメール送受信システムで使用されるテンプレート変数の一例を示す図である。
【図２１】この発明の実施の形態７の変形例に係るメール送受信システムを構成するカーナビゲーション装置の構成を示すブロック図である。
【図２２】この発明の実施の形態８の変形例に係るメール送受信システムを構成する携帯電話の構成を示すブロック図である。
【図２３】この発明の実施の形態８の変形例に係るメール送受信システムを構成するカーナビゲーション装置の構成を示すブロック図である。
【図２４】この発明の実施の形態８の変形例に係るメール送受信システムを構成するカーナビゲーション装置で表示されるメール定型文選択画面の一例を示す図である。
【符号の説明】
【０１７２】
１  カーナビゲーション装置、２  携帯電話、３  携帯電話パケット網、４  メールサーバ、５  インターネット、６  メール受信端末、７  読みあげデータ生成サーバ、１０  送信メール生成部、１１  赤外線通信インタフェース部、１２  メール定型文制御部、１３  メール定型文蓄積部、１４  メールタイトル制御部、１５  メールタイトル蓄積部、１６  メール定型文表示部、１７  表示モニタ、１８  音声認識部、１９  音声入力部、２０  マイクロフォン、２１  メール定型文読みあげ部、２２  スピーカ、２３  メール定型文組合せ部、２４  車両情報取得部、２５  テンプレート変数蓄積部、２６  かな漢字変換履歴蓄積部、２７  リモコン入力部、２８  リモコン、３０  メール定型文生成部、３１  赤外線通信インタフェース部、３２  メール送信部、３３  パケット通信部、３４  メール定型文蓄積部、３５  読みあげデータ生成部、３６  かな漢字変換履歴蓄積部、２４１  現在位置検出部、２４２  地図データ蓄積部、２４３  地図データアクセス部、３０１  メール定型文制御部、３０２  表示部、３０３  入力部。
【図１】
2006033377.tif 000003
【図２】
2006033377.tif 000004
【図３】
2006033377.tif 000005
【図４】
2006033377.tif 000006
【図５】
2006033377.tif 000007
【図６】
2006033377.tif 000008
【図７】
2006033377.tif 000009
【図８】
2006033377.tif 000010
【図９】
2006033377.tif 000011
【図１０】
2006033377.tif 000012
【図１１】
2006033377.tif 000013
【図１２】
2006033377.tif 000014
【図１３】
2006033377.tif 000015
【図１４】
2006033377.tif 000016
【図１５】
2006033377.tif 000017
【図１６】
2006033377.tif 000018
【図１７】
2006033377.tif 000019
【図１８】
2006033377.tif 000020
【図１９】
2006033377.tif 000021
【図２０】
2006033377.tif 000022
【図２１】
2006033377.tif 000023
【図２２】
2006033377.tif 000024
【図２３】
2006033377.tif 000025
【図２４】
2006033377.tif 000026